(57)【要約】      （修正有）【課題】マザーロールのシートをカットしてスリットロールとする際に発生する切断くずを効率よく吸引して、シートに再付着するのを防ぐことができる集塵装置を提供する。【解決手段】集塵装置１は、ロールから繰り出されたシートを所定の幅で切断する切断手段の近傍において、ロールの幅方向に亘って配された、細長い箱状の集塵ボックス２と、集塵ボックスのうち、切断手段に対向する部位に、長手方向に沿って形成されたスリット３と、集塵ボックスに接続された集塵機本体と、集塵ボックスの長手方向の端部に接続され、集塵ボックス及び集塵機本体を接続する接続手段５と、を備える。【選択図】図５
0003194848.tif 000002
【実用新案登録請求の範囲】
【請求項１】
ロールから繰り出されたシートを所定の幅で切断する切断手段の近傍において、該ロールの幅方向に亘って配された、細長い箱状の集塵ボックスと、
前記集塵ボックスのうち、前記切断手段に対向する部位に、長手方向に沿って形成されたスリットと、
前記集塵ボックスに接続された集塵機本体と、
前記集塵ボックスの長手方向の端部に接続され、該集塵ボックス及び前記集塵機本体を接続する接続手段と、を備えることを特徴とする集塵装置。
【請求項２】
ロールから繰り出されたシートを所定の幅で切断する切断手段と、
請求項１に記載の集塵装置と、を備えることを特徴とするスリッター。
【考案の詳細な説明】
【技術分野】
【０００１】
本考案は、集塵装置及びスリッターに関する。詳しくは、ロールから繰り出されたシートを所定の幅で切断する際に用いられる集塵装置及びスリッターに関する。
【背景技術】
【０００２】
例えばポリオレフィン樹脂からなるシート（シート）は、有機溶媒耐性、電子絶縁性に優れることから、リチウムイオン二次電池など、種々の電池用セパレータとして使用されている。
このようなシートは、通常、円管状の支持管（コア）に巻回された、広幅の巻回体（マザーロール）として構成されている。そして、出荷の際には、幅の広いシートを所望の寸法幅に切断してから出荷している。電池用セパレータの場合、電池の寸法が様々なので、シートを電池の寸法に応じた幅に切断（スリット）し、切断されたシートをコアに捲回してスリットロールとして出荷されている。
幅広のシートを切断する際には、マザーロールを挟むように配された２枚の円形状の刃によって、所定の幅に切断される（例えば特許文献１参照）。
【先行技術文献】
【特許文献】
【０００３】
【特許文献１】特開２００５−２６２３３５号公報
【考案の概要】
【考案が解決しようとする課題】
【０００４】
しかしながら、シートを切断してスリットロールとする際に、切断くずが発生する。この切断くずが、シートに再付着してしまい、シートの品質を低下させてしまうという問題があった。
【０００５】
本考案は、上述した従来の実情に鑑みてなされたものであり、マザーロールのシートをカットしてスリットロールとする際に発生する切断くずを効率よく吸引して、シートに再付着するのを防ぐことができる集塵装置、及び、該集塵装置を備えたスリッターを提供することを目的とする。
【課題を解決するための手段】
【０００６】
［１］
ロールから繰り出されたシートを所定の幅で切断する切断手段の近傍において、該ロールの幅方向に亘って配された、細長い箱状の集塵ボックスと、
前記集塵ボックスのうち、前記切断手段に対向する部位に、長手方向に沿って形成されたスリットと、
前記集塵ボックスに接続された集塵機本体と、
前記集塵ボックスの長手方向の端部に接続され、該集塵ボックス及び前記集塵機本体を接続する接続手段と、を備えることを特徴とする集塵装置。
［２］
ロールから繰り出されたシートを所定の幅で切断する切断手段と、
［１］に記載の集塵装置と、を備えることを特徴とするスリッター。
【考案の効果】
【０００７】
本考案の集塵装置では、切断手段の近傍に、該切断手段に対向する部位に形成されたスリット（吸塵口）を有する集塵ボックスが配されているので、ロールから繰り出されたシートを所定の幅で切断する際に、切断くずを効率的に吸引できる。またスリットはロールの幅方向に亘って形成されているため、切断くずを取りこぼしなく吸塵できる。吸塵口はスリット形状であるため、吸引力が強くなり、切断くずを確実に吸塵できる。
そしてこのような集塵装置を備えたスリッターでは、切断くずを確実に吸引することで、切断くずがロールに付着することを防止して、品質や歩留まりの低下を抑制することができる。
【図面の簡単な説明】
【０００８】
【図１】本考案の集塵装置の一構成例を示す図である。
【図２】集塵ボックス部分を抜き出して示す図である。
【図３】集塵ボックスのうちスリット部分を拡大して示す断面図である。
【図４】スリッターの一構成例を示す断面図である。
【図５】スリッターの一構成例を示す斜視図である。
【考案を実施するための形態】
【０００９】
以下、本考案の実施の形態について、図面を参照しながら説明する。
図１は、本考案の集塵装置の一構成例を示す斜視図である。図２は、集塵装置のうち集塵ボックス部分を抜き出して示す図であり、（ａ）は上面図、（ｂ）は正面図、（ｃ）は側面図である。図３は、スリット部分を拡大して示す断面図である。また、図４及び図５は、このような集塵装置を備えたスリッターの一構成例を示す図であり、図４は断面図、図５は斜視図である。
本考案の集塵装置１は、マザーロールから繰り出されたシートを所定の幅で切断する切断手段の近傍において、マザーロールの幅方向に亘って配された、細長い箱状の集塵ボックス２と、集塵ボックス２のうち、切断手段に対向する部位に、長手方向に沿って形成されたスリット３と、集塵ボックス２に接続された集塵機本体４と、集塵ボックス２の長手方向の端部に接続され、集塵ボックス２及び集塵機本体４を接続するホース（接続手段）５と、を備えることを特徴とする。
【００１０】
この集塵装置１では、集塵機本体４が、ホース５及び集塵ボックス２を通じて、切断くずを含む空気を吸引することにより、該切断くずを回収する。
本考案の集塵装置１では、切断手段の近傍に、該切断手段に対向する部位に形成されたスリット３（吸塵口）を有する集塵ボックス２が配されているので、マザーロールから繰り出されたシートを所定の幅で切断する際に、切断くずをもれなく、効率的に吸引できる。またスリット３はマザーロールの幅方向に亘って形成されているため、取りこぼしなく吸塵できる。吸塵口はスリット形状であるため、吸引力が強く、くずを確実に吸塵できる。
そしてこのような集塵装置１を備えたスリッターでは、切断くずを確実に吸引することで、切断くずがシートに再付着することを防止して、品質や歩留まりの低下を抑制することができる。
【００１１】
図４は、スリッターの一構成例を模式的に示す図である。
このスリッター１０は、マザーロール（図示略）から巻き出されたシート１１を移送するガイドロール１７等の複数のローラ（図示略）と、シート１１を一定間隔で切断（スリット）するカッター（受刃ロール１８及び丸刃１９）と、を含んで構成される。
【００１２】
このスリッター１０には、カッターとして、受刃ロール１８と、回転駆動される丸刃１９とが設けられる。受刃ロール１８には、丸刃１９を受けるための溝が形成されており、回転する丸刃１９（上刃）を、受刃ロール１８（下刃）上に押し付けることにより、受刃ロール１８に密着して移送されるシート１１が一定間隔で連続して切断される。
【００１３】
丸刃１９は、複数個が受刃ロール１８に沿って並列に配されており、移送されるシート１１を所定の間隔に区分されるように切断する。丸刃１９の数はシート１１の切断間隔に応じて適切に調整できる。
【００１４】
このように複数のローラにより移送されながらカッターにより切断されたシート１１は、コア（図示略）の周囲にそれぞれ個別に巻き取られる。このようにしてスリットロールが得られる。巻き取りが完了すると、包装した後、製品として出荷される。
【００１５】
このスリッター１０では、回転する丸刃１９（上刃）を、受刃ロール１８（下刃）上に押し付けて押し切る、いわゆるスコアーカット方式を採用しているが、上刃と下刃との間の剪断により切断するシアーカット方式、鋭利な剃刀等で切断するレザーカット方式等の何れをも利用可能である。
【００１６】
このようなスリッター１０において、図４及び図５に示すように、切断手段（カッター）の近傍に、本考案の集塵装置１の集塵ボックス２が配されている。
図２に示すように、集塵ボックス２は、細長い箱型形状を有している。
集塵ボックス２の長さは、切断されるマザーロールの幅によって決定される。マザーロールの幅全体に亘って集塵ボックス２を配することにより、切断くずをマザーロールの幅全体に亘って取りこぼしなく吸塵できる。
集塵ボックス２の断面形状、大きさは特に限定されない。周囲の機械の邪魔にならないように決定される。例えば図２（ｃ）に示すように、下側が広く上側が狭い台形形状とすれば、斜面に沿った空気の流れを作ることができ、集塵効率を高められる。
【００１７】
スリット３は、集塵ボックス２のうち、切断手段に対向する部位に、長手方向に沿って直線状に形成されている。図４及び図５に示す例では、丸刃１９に対向する位置にスリット３が形成されている。
スリット３をシートの切断部位に最も近い位置、すなわち切断手段（丸刃１９）に対向する部位に配することで、切断くずをもれなく、効率的に吸引できる。
また、スリット３はマザーロールの幅方向に亘って直線状に形成されているため、切断くずをマザーロールの幅全体に亘って取りこぼしなく吸塵できる。
吸塵口をスリット形状とすることで、吸引力が強くなり、切断くずを確実に吸塵できる。
【００１８】
スリット３の幅としては特に限定されるものではないが、例えば図３に示すように１〜１０ｍｍとする。１０ｍｍより大きいと、吸引力を十分に高めることが難しい。一方、１ｍｍより小さいと、切断くずのほうが大きくなってしまい、内部に吸い込むことができなくなってしまう場合がある。スリット３の幅を１〜１０ｍｍとすることにより、吸引力を十分に高め、より確実に切断くずを吸引することができる。
【００１９】
また、スリット３の断面形状としては特に限定されるものではないが、例えば図３に示すように、集塵ボックス２に対して外側が狭く、内側が広くなるような形状とする。スリット３の外側を狭くすることで、高い吸引力を有し、また内側を狭くすることで、吸引したくずをボックス２内部へと導きやすくなる。
【００２０】
集塵ボックス２の長手方向の端部には、ホース５の一端部が取り付けられる接続管６が、外側に向かって突設されている。集塵ボックス２は、ホース５を通じて集塵機本体４に接続されている。
ホース５は、可撓性を有し、集塵ボックス２と集塵機本体４とを接続する。ホース５の一端部は、集塵ボックス２の長手方向の端部に接続され、ホース５の他端部は、集塵機本体４に接続される。なお、本実施形態では、集塵ボックス２と集塵機本体４とを接続する接続手段としてホースを用いた例を示したが、これに限定されず、接続手段として例えば、チューブ、パイプ、ダクト、配管等を用いてもよい。
集塵機本体４は、ホース５及び集塵ボックス２を通じて、切断くず（回収対象物）を含む空気を吸引することにより、該切断くずを収集するとともに、吸引された切断くずが収容される。
【００２１】
以上説明してきたように、本考案の集塵装置では、切断手段の近傍に、該切断手段に対向する部位に形成されたスリット（吸塵口）を有する集塵ボックスが配されているので、マザーロールから繰り出されたシートを所定の幅で切断する際に、切断くずをもれなく、効率的に吸引できる。また、スリットはマザーロールの幅方向全体に亘って形成されているため、切断くずを取りこぼしなく吸塵できる。吸塵口はスリット形状であるため、吸引力が強く、くずを確実に吸塵できる。そしてこのような集塵装置を備えたスリッターでは、切断くずを確実に吸引することで、切断くずがシートに再付着することを防止して、品質や歩留まりの低下を抑制することができる。
【００２２】
以上、本考案の実施の形態について説明してきたが、本考案はこれに限定されるものではなく、考案の趣旨を逸脱しない範囲で適宜変更可能である。例えば上述した説明では、マザーロールのシートをカットしてスリットロールとする場合を例に挙げて説明したが、本考案はこれに限定されず、マザーロール以外であっても、シートをカットする場合に広く適用可能である。
【産業上の利用可能性】
【００２３】
本考案による集塵装置およびスリッターを用いることで、マザーロールのシートをカットしてスリットロールとする際に発生する切断くずを効率よく吸引して、シートに再付着するのを防ぐことができ、セパレータを切断する際の集塵装置およびスリッターとして広く利用することができる。
【符号の説明】
【００２４】
１    集塵装置
２    集塵ボックス
３    スリット
４    集塵機本体
５    ホース
１０    スリッター
【図１】
0003194848.tif 000003
【図２】
0003194848.tif 000004
【図３】
0003194848.tif 000005
【図４】
0003194848.tif 000006
【図５】
0003194848.tif 000007